(57)【特許請求の範囲】
【請求項１】
ケース上面に上下動可能に装着された操作体と、この操作体下面に配設された感圧導電接点と、この感圧導電接点の抵抗値に応じて、送信手段からリモコン信号を送信する制御手段からなり、上記制御手段が上記感圧導電接点の抵抗値が一定の場合、継続信号を送信した後、送信を停止するリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ、エアコン等の各種電子機器の高機能化が進むなか、これらを遠隔操作するリモコン送信機においても、多様で確実な操作を行えるものが求められている。
【０００３】
このような従来のリモコン送信機について、図５〜図８を用いて説明する。
【０００４】
図７は従来のリモコン送信機の断面図であり、同図において、１は略箱状で絶縁樹脂製のケース、２は絶縁樹脂製の操作体で、ケース１上面の複数の開口孔に複数の操作体２が上下動可能に装着されている。
【０００５】
また、３はシリコーンゴム等の基材内に導電粒子が分散された感圧導電シート、４は上下面に配線パターン（図示せず）が形成された配線基板で、配線基板４上面に感圧導電シート３が載置されると共に、配線基板４上面には銅やカーボン等の一対の固定接点５が形成されている。
【０００６】
そして、感圧導電シート３と配線基板４の間には複数の固定接点５を囲むように、絶縁樹脂によってスペーサ６が形成され、感圧導電シート３下面と固定接点５が所定の間隙を空けて対向して、複数の感圧導電接点７が形成されている。
【０００７】
さらに、配線基板４下面には発光ダイオード等の送信手段８や、感圧導電接点７の電気的接離や抵抗値に応じて、送信手段８からリモコン信号を送信するマイコン等の制御手段９が各々形成されると共に、ケース１下面を絶縁樹脂製のカバー１０が覆って、リモコン送信機が構成されている。
【０００８】
以上の構成において、例えば図５（ａ）の平面図に示すように、遠隔操作する電子機器３０の液晶表示素子等の表示画面３１に、番組表等が表示された状態で、リモコン送信機を操作する機器に向けて、指で所定の操作体２を押圧操作すると、この操作体２下面が感圧導電シート３を押圧し、感圧導電シート３が下方へ撓んで固定接点５に接触し、一対の固定接点５が感圧導電シート３を介して電気的に接続される。
【０００９】
そして、この感圧導電接点７の電気的接離を制御手段９が検出し、図８（ａ）の信号波形図に示すような、ヘッダ信号Ｈ等の付いた、複数の０と１を組み合わせたパルスから形成された操作信号Ａ０を、送信手段８から赤外線のリモコン信号として電子機器３０へ送信し、これを機器に内蔵されたリモコン受信機３２が受信して、例えば、表示画面３１に表示されたカーソル３３が上方へ移動する。
【００１０】
また、このままさらに強く操作体２を押圧していくと、操作体２下面に押圧された感圧導電シート３が圧縮され、基材内の接触する導電粒子の数や接触面積が増すことによって、図６の抵抗特性図に示すように、押圧力Ｐ１、Ｐ２に応じて、一対の固定接点５間の抵抗値が小さくなっていく。
【００１１】
そして、この感圧導電接点７の抵抗値の変化を制御手段９が検出し、図８（ａ）に示すように、操作信号Ａ０に続けて、例えば抵抗値Ｒ１の操作信号Ａ１、抵抗値Ｒ２の操作信号Ａ２を、送信手段８からリモコン信号として電子機器３０へ送信し、これを機器に内蔵されたリモコン受信機３２が受信して、例えば、カーソル３３の移動速度を速め、表示画面３１に表示されたカーソル３３が速い速度で上方へ移動する。
【００１２】
また、操作体２を一定の強さで押圧し続けた場合には、例えば、感圧導電接点７の抵抗値がＲ１になる押圧力Ｐ１で押圧し続けた場合には、図８（ｂ）に示すように、抵抗値Ｒ１の操作信号Ａ１が、２０〜５０ｍｓｅｃ前後の間隔で、周期的に繰返して送信手段８からリモコン受信機３２に送信される。
【００１３】
さらに、他の操作体２を押圧操作した場合にも、同様に感圧導電接点７の電気的接離や抵抗値変化が行われ、これを制御手段９が検出して、操作に応じたリモコン信号を送信手段８から送信し、表示画面３１に表示されたカーソル３３が、例えば下方や左右方向へ移動する。
【００１４】
つまり、複数の操作体２の押圧操作によって、複数の感圧導電接点７の電気的接離や抵抗値変化が行われると共に、制御手段９がこの電気的接離や抵抗値の変化に応じて、送信手段８からリモコン信号を送信することによって、表示画面３１に表示されたカーソル３３の、移動方向や移動速度等を遠隔操作できるように構成されているものであった。
【００１５】
なお、この出願の発明に関連する先行技術文献情報としては、例えば、特許文献１が知られている。
【特許文献１】特開２００６−３３６８０号公報
【発明の開示】
【発明が解決しようとする課題】
【００１６】
しかしながら、上記従来のリモコン送信機においては、ある操作体２を一定の強さで押圧し続けた場合には、表示画面３１のカーソル３３の移動方向や移動速度は一定であるにも係わらず、図８（ｂ）に示したように、この間、同じ操作信号が所定間隔で、周期的に繰返して送信手段８から送信されるため、リモコン送信機に内蔵された電池から送信手段８や制御手段９に通電が続けられ、電池が消耗してしまうという課題があった。
【００１７】
本発明は、このような従来の課題を解決するものであり、省電力化が図れ、機器の多様な遠隔操作が可能なリモコン送信機を提供することを目的とする。
【課題を解決するための手段】
【００１８】
上記目的を達成するために本発明は、以下の構成を有するものである。
【００１９】
本発明の請求項１に記載の発明は、感圧導電接点の抵抗値に応じて、送信手段からリモコン信号を送信する制御手段が、感圧導電接点の抵抗値が一定の場合、継続信号を送信した後、送信を停止するようにしてリモコン送信機を構成したものであり、ある操作体を一定の力で押圧し続け、感圧導電接点の抵抗値が一定の場合には、制御手段が所定のパルス数の継続信号を送信し、その後は送信を停止することによって、内蔵された電池の消耗を少なくできるため、省電力化が図れ、機器の多様な遠隔操作が可能なリモコン送信機を得ることができるという作用を有する。
【発明の効果】
【００２１】
以上のように本発明によれば、省電力化が図れ、機器の多様な遠隔操作が可能なリモコン送信機を実現できるという有利な効果が得られる。
【発明を実施するための最良の形態】
【００２２】
以下、本発明の実施の形態について、図１〜図６を用いて説明する。
【００２３】
なお、背景技術の項で説明した構成と同一構成の部分には同一符号を付して、詳細な説明を簡略化する。
【００２４】
（実施の形態１）
実施の形態１を用いて、本発明について説明する。
【００２５】
図１は本発明の一実施の形態によるリモコン送信機の断面図、図２は同感圧導電接点の断面図であり、同図において、１は略箱状でポリスチレンやＡＢＳ等の絶縁樹脂製のケース、２は同じく絶縁樹脂製の操作体で、ケース１上面の複数の開口孔に複数の操作体２が上下動可能に装着されている。
【００２６】
そして、１１はポリエチレンテレフタレートやポリカーボネート、ポリイミド等の可撓性を有するフィルム状のベースシートで、この下面には、合成樹脂内にカーボン粉を分散したシート抵抗値０．５〜３０ｋΩ／□の低抵抗体層１２Ａと、下面が細かな凹凸状のシート抵抗値５０ｋΩ〜５ＭΩ／□の高抵抗体層１２Ｂが、重ねて印刷形成された複数の感圧導電層１２が形成されている。
【００２７】
また、１３は紙フェノールやガラス入りエポキシ等の板状の配線基板で、上下面には銅箔等によって複数の配線パターン（図示せず）が形成されると共に、この配線基板１３上面にベースシート１１が載置されると共に、配線基板１３上面には銅やカーボン、金メッキ等によって、略櫛歯状または略半円形状の一対の固定接点１４が形成されている。
【００２８】
さらに、ベースシート１１と配線基板１３の間には複数の固定接点１４を囲むように、エポキシやポリエステル等の絶縁樹脂によってスペーサ１５が形成され、ベースシート１１下面の感圧導電層１２と固定接点１４が１０〜１００μｍ前後の間隙を空けて対向している。
【００２９】
また、１６はベースシート１１と同様の可撓性を有するフィルム状のカバーシート、１７は略ドーム状で鋼や銅合金等の導電金属薄板製の可動接点で、カバーシート１６下面に複数の可動接点１７が、アクリルやシリコーン等の接着剤（図示せず）によって貼付されると共に、この複数の可動接点１７が感圧導電層１２上方のベースシート１１下面に載置されて、複数の感圧導電接点１８が形成されている。
【００３０】
そして、この複数の感圧導電接点１８の可動接点１７上面に、カバーシート１６を介して複数の操作体２の下面が当接すると共に、配線基板１３下面には、発光ダイオード等の電子部品によってリモコン信号を送信する送信手段８や、感圧導電接点１８の電気的接離や抵抗値に応じて、送信手段８からリモコン信号を送信するマイコン等の制御手段１９が形成されている。
【００３１】
さらに、複数の固定接点１４や送信手段８が、配線パターンを介して制御手段１９や電池電源（図示せず）に接続されると共に、ケース１下面を絶縁樹脂製のカバー１０が覆って、リモコン送信機が構成されている。
【００３２】
そして、このようなリモコン送信機と、例えば図５の平面図に示すような、テレビ等の電子機器３０に内蔵され、リモコン送信機からのリモコン信号を受信して機器の様々な操作を行うリモコン受信機３２が組合わされて、送受信装置が形成される。
【００３３】
以上の構成において、遠隔操作する電子機器３０の液晶表示素子等の表示画面３１に、図５（ａ）に示すような番組表、あるいは図５（ｂ）に示すような番組紹介のメニュー等が表示された状態で、リモコン送信機を操作する機器に向けて、指で所定の操作体２を押圧操作すると、この操作体２下面がカバーシート１６を介して可動接点１７上面中央部を押圧し、所定の押圧力が加わると、可動接点１７がクリック感を伴って下方へ弾性反転して、ベースシート１１が下方へ撓み、下面の感圧導電層１２が固定接点１４に接触し、一対の固定接点１４が感圧導電層１２を介して電気的に接続される。
【００３４】
そして、この感圧導電接点１８の電気的接離を制御手段１９が検出し、図３（ａ）の信号波形図に示すような、ヘッダ信号Ｈ等の付いた、複数の０と１を組み合わせたパルスから形成された操作信号Ａ０を、送信手段８から赤外線のリモコン信号として電子機器３０へ送信し、これを機器に内蔵されたリモコン受信機３２が受信して、例えば、表示画面３１に表示されたカーソル３３やポインタ３４が上方へ移動する。
【００３５】
また、このままさらに強く操作体２を押圧していくと、感圧導電層１２下面には細かな凹凸状の高抵抗体層１２Ｂが形成され、可動接点１７を介した押圧力によって、感圧導電層１２の固定接点１４に対する接触面積が増えるため、図６の抵抗特性図に示すように、押圧力Ｐ１、Ｐ２に応じて、一対の固定接点１４間の抵抗値が小さくなっていく。
【００３６】
そして、この感圧導電接点１８の抵抗値の変化を制御手段１９が検出し、図３（ａ）に示すように、操作信号Ａ０に続けて、例えば抵抗値Ｒ１の操作信号Ａ１、抵抗値Ｒ２の操作信号Ａ２を、送信手段８からリモコン信号として電子機器３０へ送信し、これを機器に内蔵されたリモコン受信機３２が受信して、例えば、カーソル３３やポインタ３４の移動速度を速め、表示画面３１に表示されたカーソル３３やポインタ３４が速い速度で上方へ移動する。
【００３７】
また、操作体２を一定の強さで押圧し続けた場合には、例えば、感圧導電接点１８の抵抗値がＲ１になる押圧力Ｐ１で押圧し続けた場合には、この感圧導電接点１８の抵抗値が一定で変化のないことを制御手段１９が検出し、図３（ｂ）に示すように、最初に抵抗値Ｒ１の操作信号Ａ１を送信した後は、操作信号Ａ１に比べパルス数の少ない反復信号Ｂ１を２０〜５０ｍｓｅｃ前後の間隔で、周期的に繰返して送信手段８からリモコン受信機３２に送信する。
【００３８】
そして、この操作信号Ａ１の後に反復信号Ｂ１が繰返されるリモコン信号を、リモコン受信機３２が受信した場合には、抵抗値Ｒ１に応じた一定の移動速度で、表示画面３１に表示されたカーソル３３やポインタ３４の上方への移動が行われる。
【００３９】
また、他の操作体２を押圧操作した場合には、同様に感圧導電接点１８の電気的接離や抵抗値変化が行われ、これを制御手段１９が検出して、操作に応じたリモコン信号を送信手段８から送信し、表示画面３１に表示されたカーソル３３やポインタ３４が、例えば下方や左右方向へ移動するが、この時にも、操作体２を一定の力で押圧し続けた場合には、カーソル３３やポインタ３４は一定の速度で移動する。
【００４０】
つまり、操作体２が一定の力、例えば押圧力Ｐ１で押圧され続け、感圧導電接点１８の抵抗値が一定のＲ１で変化がない場合には、制御手段１９がこれを検出して、パルス数の多い操作信号Ａ１が繰返されるリモコン信号ではなく、パルス数の少ない反復信号Ｂ１が周期的に繰返されるリモコン信号を送信し、カーソル３３やポインタ３４を一定の速度で移動させるようになっている。
【００４１】
すなわち、ある操作体２が一定の力で押圧され続け、表示画面３１に表示されたカーソル３３やポインタ３４の移動方向や移動速度が一定である間は、パルス数の少ない反復信号Ｂ１から形成されたリモコン信号を送信することによって、パルス数の多い操作信号Ａ１が繰返される場合に比べ、内蔵された電池の通電時間を減らし、電池の消耗が少なくなるように構成されている。
【００４２】
また、ベースシート１１下面の感圧導電層１２を、所定の間隙を空けて一対の固定接点１４に対向させると共に、このベースシート１１上面に可動接点１７を載置して感圧導電接点１８を形成することによって、操作体２の押圧操作によるクリック感を伴った良好な操作感触と、感圧導電層１２と固定接点１４との確実な電気的接離を行えるようになっている。
【００４３】
さらに、低抵抗体層１２Ａと下面が細かな凹凸状の高抵抗体層１２Ｂを重ねて感圧導電層１２を形成することによって、ばらつきが少なく、押圧力の変化に応じた安定した抵抗値変化が得られるようになっている。
【００４４】
このように本実施の形態によれば、感圧導電接点１８の抵抗値に応じて、送信手段８からリモコン信号を送信する制御手段１９が、感圧導電接点１８の抵抗値が一定の場合には、反復信号Ｂ１を周期的に送信することによって、ある操作体２を一定の力で押圧し続け、感圧導電接点１８の抵抗値が一定の場合には、制御手段１９がパルス数の少ない反復信号Ｂ１を、所定間隔で周期的に送信し、内蔵された電池の消耗を少なくできるため、省電力化が図れ、機器の多様な遠隔操作が可能なリモコン送信機を得ることができるものである。
【００４５】
（実施の形態２）
実施の形態２を用いて、本発明の特に請求項１記載の発明について説明する。
【００４６】
なお、リモコン送信機や感圧導電接点１８の構成は、図１や図２で示した実施の形態１と同一構成であるため、詳細な説明を省略する。
【００４７】
つまり、同図において、ケース１上面に複数の操作体２が上下動可能に装着されていることや、この操作体２下面に可動接点１７や感圧導電層１２、固定接点１４等によって感圧導電接点１８が配設され、複数の固定接点１４や送信手段８が制御手段１９や電池電源に接続されて、リモコン送信機が構成されていることは実施の形態１の場合と同様である。
【００４８】
そして、このようなリモコン送信機と、図５に示すような、電子機器３０に内蔵されたリモコン受信機３２によって送受信装置が形成されることや、感圧導電接点１８の電気的接離や抵抗値の変化に応じて、制御手段１９が送信手段８からリモコン信号を送信し、これをリモコン受信機３２が受信して、表示画面３１に表示されたカーソル３３やポインタ３４の移動が行われることも、実施の形態１の場合と同様である。
【００４９】
すなわち、図１において、所定の操作体２を押圧操作すると、この下方の可動接点１７が弾性反転し、一対の固定接点１４が感圧導電層１２を介して電気的に接続され、これを制御手段１９が検出して、図４（ａ）の信号波形図に示すような、ヘッダ信号Ｈ等の付いた操作信号Ａ０を、送信手段８からリモコン信号として電子機器３０へ送信し、表示画面３１に表示されたカーソル３３やポインタ３４が所定方向へ移動する。
【００５０】
また、この操作体２をさらに強く押圧していくと、図６に示すように、一対の固定接点１４間の抵抗値が小さくなっていき、この抵抗値の変化を制御手段１９が検出して、図４（ａ）に示すように、操作信号Ａ０に続けて操作信号Ａ１やＡ２を電子機器３０へ送信し、これを機器に内蔵されたリモコン受信機３２が受信して、カーソル３３やポインタ３４を速い速度で移動させることは、実施の形態１の場合と同様である。
【００５１】
さらに、操作体２を一定の力で、例えば、感圧導電接点１８の抵抗値がＲ１になる押圧力Ｐ１で押圧し続けた場合に、この感圧導電接点１８の抵抗値が一定で変化のないことを、制御手段１９が検出することも実施の形態１の場合と同様であるが、本実施の形態においては、図４（ｂ）に示すように、送信手段８から最初に抵抗値Ｒ１の操作信号Ａ１を送信し、続けて継続信号Ｃ１を送信した後、送信を停止する。
【００５２】
そして、制御手段１９が感圧導電接点１８の抵抗値を所定間隔、例えば２０〜５０ｍｓｅｃ間隔で検出し、抵抗値がＲ１のままであれば送信停止を続けるが、所定時間が過ぎ、例えば１秒経っても押圧力Ｐ１で抵抗値がＲ１のままである場合には、再び操作信号Ａ１と継続信号Ｃ１を送信して、このリモコン信号をリモコン受信機３２が受信している間は、抵抗値Ｒ１に応じた一定の移動速度で、表示画面３１に表示されたカーソル３３やポインタ３４の移動が行われる。
【００５３】
また、操作体２を押圧する力が、例えば押圧力Ｐ１からＰ２へ変わった場合には、感圧導電接点１８の抵抗値がＲ２に変化するため、これを制御手段１９が検出して、抵抗値Ｒ２の操作信号Ａ２を送信し、その後、抵抗値がＲ２のままである場合には続けて継続信号Ｃ１を送信した後、送信が停止され、このリモコン信号をリモコン受信機３２が受信している間は、抵抗値Ｒ２に応じた一定の移動速度で、カーソル３３やポインタ３４の移動が行われる。
【００５４】
さらに、操作体２から指を離し、感圧導電接点１８が電気的に切断された場合には、この電気的接離を制御手段１９が検出して、停止信号（図示せず）が送信手段８から送信され、カーソル３３やポインタ３４は所定のメニュー上に停止する。
【００５５】
つまり、操作体２が一定の力、例えば押圧力Ｐ１で押圧され続け、感圧導電接点１８の抵抗値が一定のＲ１やＲ２で変化がない場合には、制御手段１９がこれを検出して、パルス数の多い操作信号Ａ１やＡ２が繰返されるリモコン信号ではなく、所定のパルス数の継続信号Ｃ１を送信し、その後は送信を停止して、カーソル３３やポインタ３４を一定の速度で移動させるようになっている。
【００５６】
すなわち、ある操作体２が一定の力で押圧され続け、表示画面３１に表示されたカーソル３３やポインタ３４の移動方向や移動速度が一定である間は、所定のパルス数の継続信号Ｃ１を送信した後、送信を停止することによって、実施の形態１の場合に比べ、さらに内蔵された電池の消耗が少なくなるように構成されている。
【００５７】
なお、操作体２が一定の力、例えば押圧力Ｐ１で押圧され続けた時、上記のように操作信号Ａ１の後、すぐに継続信号Ｃ１を送信するのではなく、操作信号を所定回数、例えば操作信号Ａ１を３回繰返した後、継続信号Ｃ１を送信し、その後、制御手段１９が抵抗値を所定間隔で検出し、押圧力がＰ２に変化した場合にも、操作信号Ａ２を３回繰返した後、継続信号Ｃ１を送信するようにすれば、外部のノイズ等による誤送受信を防ぎ、より確実な遠隔操作を行うことができる。
【００５８】
また、リモコン受信機３２がリモコン送信機から、抵抗値が一定のＲ１やＲ２の操作信号Ａ１やＡ２を受信した後、所定時間、例えば１秒経っても継続信号Ｃ１や停止信号を受信しなかった場合には、表示画面３１に表示されたカーソル３３やポインタ３４の移動を停止するようにすれば、例えばリモコン送信機からのリモコン信号が遮断された場合等に、カーソル３３やポインタ３４が誤って移動し続けることを防ぐことができる。
【００５９】
なお、以上のように、制御手段１９が感圧導電接点１８の抵抗値が一定であるかどうかを検出する場合、感圧導電接点１８の抵抗値は押圧力に応じて、数ｋΩから数ＭΩの範囲で変化するため、実際には、所定範囲内での抵抗値変化、例えば数ｋΩあるいは数ＭΩの５〜１０％前後の範囲毎で、抵抗値が一定か変化したかの検出が行われる。
【００６０】
このように本実施の形態によれば、感圧導電接点１８の抵抗値に応じて、送信手段８からリモコン信号を送信する制御手段１９が、感圧導電接点１８の抵抗値が一定の場合には、継続信号Ｃ１を送信した後、送信を停止することによって、ある操作体２を一定の力で押圧し続け、感圧導電接点１８の抵抗値が一定の場合には、制御手段１９が所定のパルス数の継続信号Ｃ１を送信し、その後は送信を停止して、内蔵された電池の消耗をさらに少なくできるため、省電力化が図れ、機器の多様な遠隔操作が可能なリモコン送信機を得ることができるものである。
【００６１】
なお、以上の説明では、ケース１上面の複数の開口孔に、複数の操作体２を上下動可能に装着した構成について説明したが、ゴムやエラストマー等の弾性材料によって複数の操作体を一体に形成したものや、シート状の操作体を用い、これらを押圧操作して、下方の可動接点１７や感圧導電接点１８を操作する構成としても、本発明の実施は可能である。
【００６２】
また、以上の説明では、制御手段１９が感圧導電接点１８の電気的接離や抵抗値の変化を検出し、操作体２の押圧力の変化に応じて、電子機器３０の表示画面３１に表示されたカーソル３３やポインタ３４の移動を行う構成について説明したが、感圧導電接点１８の電気的接離や抵抗値の変化に応じて、電子機器３０の音量の増減や、受信チャンネルの選局等を行ったり、表示画面３１に表示されたリスト等のメニューのスクロール検索の速度や、動画の再生や早送り等の速度等のアナログ的な切換えを行ったりすることも可能である。
【００６３】
さらに、感圧導電接点１８上に可動接点１７を載置し、操作体２の押圧操作によって可動接点１７を弾性反転させて、感圧導電接点１８の電気的接離や抵抗値変化を行わせる構成について説明したが、可動接点１７がなく、操作体２で直接感圧導電接点１８を押圧する構成や、基材内に導電粒子が分散された感圧導電シートを用い、これと固定接点を対向させて感圧導電接点を形成した構成としてもよい。
【産業上の利用可能性】
【００６４】
本発明によるリモコン送信機は、省電力化が図れ、機器の多様な遠隔操作が可能なものが得られ、主に各種電子機器の操作用として有用である。
【図面の簡単な説明】
【００６５】
【図１】本発明の一実施の形態によるリモコン送信機の断面図
【図２】同感圧導電接点の断面図
【図３】同信号波形図
【図４】同信号波形図
【図５】電子機器の平面図
【図６】抵抗特性図
【図７】従来のリモコン送信機の断面図
【図８】同信号波形図
【符号の説明】
【００６６】
１  ケース
２  操作体
８  送信手段
１０  カバー
１１  ベースシート
１２  感圧導電層
１２Ａ  低抵抗体層
１２Ｂ  高抵抗体層
１３  配線基板
１４  固定接点
１５  スペーサ
１６  カバーシート
１７  可動接点
１８  感圧導電接点
１９  制御手段
３０  電子機器
３１  表示画面
３２  リモコン受信機
３３  カーソル
３４  ポインタ
【図１】
0005083021.tif 000002
【図２】
0005083021.tif 000003
【図３】
0005083021.tif 000004
【図４】
0005083021.tif 000005
【図５】
0005083021.tif 000006
【図６】
0005083021.tif 000007
【図７】
0005083021.tif 000008
【図８】
0005083021.tif 000009